(57)【要約】【課題】  移動体が上部レールに及ぼす力を分散することでこれに抵抗する支持パネルを簡素なものとし、低コスト化およびコンパクト化を図る移動体の上部レール支持構造あるいは自動倉庫を提供する。【解決手段】  自動倉庫１においては、スタッカクレーンＳ用の上部レール８と、上部レール８の方向に並べられる複数のラックパネル２と、各ラックパネル２の上部に固定された梁４と、各梁４の下部において渡された補強パネル６とが設けられており、上部レール８は、補強パネル６におけるラックパネル２とは反対側の辺縁に固定されており、補強パネル６における上部レール８側の辺縁は、梁４の方向へ移動可能に支持されており、補強パネル６におけるラックパネル２側の辺縁は、ラックパネル２に固定されている。【選択図】  図１
2005350168.tif 000002
【特許請求の範囲】
【請求項１】
移動体用の上部レールと、
上部レールの方向に並べられる複数の支持パネルと、
各支持パネルの上部に固定された梁と、
各梁の下部において渡された補強パネルと
が設けられており、
上部レールは、補強パネルにおける支持パネルとは反対側の辺縁に固定されており、
補強パネルにおける上部レール側の辺縁は、梁の方向へ移動可能に支持されており、
補強パネルにおける支持パネル側の辺縁は、支持パネルに固定されている
ことを特徴とする移動体の上部レール支持構造。
【請求項２】
補強パネルは、ラチス構造を有している
ことを特徴とする請求項１に記載の移動体の上部レール支持構造。
【請求項３】
補強パネルにおける上部レール側の辺縁は、梁の方向を向いた長孔に入る吊りボルトにより支持されている
ことを特徴とする請求項１または請求項２に記載の移動体の上部レール支持構造。
【請求項４】
梁は、ラックパネルの片側にのみ伸びている
ことを特徴とする請求項１ないし請求項３のいずれかに記載の移動体の上部レール支持構造。
【請求項５】
請求項１ないし請求項４のいずれかに記載の移動体の上部レール支持構造を備えており、
移動体は、荷の受渡ないしは搬送を行うスタッカクレーンであり、
支持パネルは、荷を収納するラック側に設けられたラックパネルである
ことを特徴とする自動倉庫。
【発明の詳細な説明】
【技術分野】
【０００１】
本発明は、上部レールに沿って移動する移動体の上部レール支持構造、ならびに本構造を備えた自動倉庫に関する。
【背景技術】
【０００２】
従来の上部レール支持構造ないしは自動倉庫として、下記特許文献１の図８に記載されたものが知られている。この自動倉庫においては、移動体としてのスタッカクレーンの両側にラチス構造の収納部が設けられるとともに、これら収納部の頂部間にラチス構造の上部パネルが渡されており、この上部パネルの下側においてスタッカクレーンのガイドレールが支持されている。
【０００３】
【特許文献１】特開平８−７３００８号公報
【発明の開示】
【発明が解決しようとする課題】
【０００４】
上記従来のガイドレール支持構造ないしは自動倉庫では、ガイドレールが上部パネルに直接固定されているため、上部パネルのうちスタッカクレーン近傍の部分でしか、スタッカクレーンがガイドレールに及ぼす力に抗することができない。従って、上部パネルを支持する収納部を剛性の高いものとしなければならず、コストがかさむし、比較的大きな設置スペースが必要となってしまう。
【０００５】
そこで、請求項１あるいは請求項５に記載の発明は、移動体が上部レールに及ぼす力を分散することでこれに抵抗する支持パネルを簡素なものとし、低コスト化およびコンパクト化を図る移動体の上部レール支持構造あるいは自動倉庫を提供することを目的としたものである。
【課題を解決するための手段】
【０００６】
上記目的を達成するために、請求項１に記載の発明は、移動体の上部レール支持構造にあって、移動体用の上部レールと、上部レールの方向に並べられる複数の支持パネルと、各支持パネルの上部に固定された梁と、各梁の下部において渡された補強パネルとが設けられており、上部レールは、補強パネルにおける支持パネルとは反対側の辺縁に固定されており、補強パネルにおける上部レール側の辺縁は、梁の方向へ移動可能に支持されており、補強パネルにおける支持パネル側の辺縁は、支持パネルに固定されていることを特徴とするものである。
【０００７】
請求項２に記載の発明は、上記発明において、補強パネルは、ラチス構造を有していることを特徴とするものである。ここで、ラチス構造とは、少なくともラチス材（斜材）を含む骨組構造のことである。
【０００８】
請求項３に記載の発明は、上記発明において、補強パネルにおける上部レール側の辺縁は、梁の方向を向いた長孔に入る吊りボルトにより支持されていることを特徴とするものである。
【０００９】
請求項４に記載の発明は、上記発明において、梁は、ラックパネルの片側にのみ伸びていることを特徴とするものである。
【００１０】
上記目的を達成するために、請求項５に記載の発明は、自動倉庫にあって、上記の移動体の上部レール支持構造を備えており、移動体は、荷の受渡ないしは搬送を行うスタッカクレーンであり、支持パネルは、荷を収納するラック側に設けられたラックパネルである
ことを特徴とするものである。
【発明の効果】
【００１１】
請求項１に記載の発明によれば、補強パネルにおける上部レール側の辺縁のみ梁の方向へ移動可能に支持されているので、支持パネルへ効率的に力を伝達することができる、という効果を奏する。
【００１２】
請求項２に記載の発明によれば、補強パネルがラチス構造であるので、上記効果に加えて、補強パネルを簡素で効果的なものにできる、という効果を奏する。
【００１３】
請求項３に記載の発明によれば、吊りボルトを用いているため、上記効果に加えて、梁方向に移動可能な支持を簡易に実現できる、という効果を奏する。
【００１４】
請求項４に記載の発明によれば、補強パネルないしは支持レールを片持ち構造とすることで、上記効果に加えて、構造全体を極めてコンパクトに構成できる、という効果を奏する。
【００１５】
請求項５に記載の発明によれば、自動倉庫が上記の支持構造を有することで、支持パネルが簡素で、比較的に狭いスペースにも強度十分に設置することができ、荷の収容量も増加する自動倉庫を提供することができる、という効果を奏する。
【発明を実施するための最良の形態】
【００１６】
以下、本発明の実施の形態に係る自動倉庫ないしはそのスタッカクレーン用上部レールの支持構造について、適宜図面に基づき説明する。
【００１７】
図１は当該形態に係る自動倉庫１の一部斜視図、図２は自動倉庫１の一部平面図であって、自動倉庫１は、図１における手前方向に向く状態で、手前奥方向に並べられた支持パネルとしての複数のラックパネル２と、各ラックパネル２の上部から左側へ伸ばされた梁４と、梁４の中央付近の下部間において渡された補強パネル６と、補強パネル６の下部に固定された上部レール８とを備えている。
【００１８】
また、自動倉庫１は、上部レール８を転動輪Ｔで挟むことで上部レール８に沿って移動可能とされた移動体としてのスタッカクレーンＳを備えている。スタッカクレーンＳは、ラックパネル２間に形成されたラック（図示せず）に対する荷Ｗの受渡ないしは搬送を行う。また、スタッカクレーンＳの大部分は、上部レール８の左側（ラックパネル２の反対側）に配置されている。
【００１９】
一方、補強パネル６は、左右の弦材１１とラチス材１２とからなるラチス構造となっている。なお、上部レール８は、左の弦材１１に固定されている。
【００２０】
また、図３にも示すように、補強パネル６の左側は、吊りボルト１３を介し、各梁４の下側において支持される。吊りボルト１３の頭部１４は、梁４の下部に設けられた左右方向の長孔１６の上側（梁４の内側）に配置されている。また、吊りボルト１３の脚部１８は、補強パネル６の左側に設けられたプレート２０において固定されている。なお、長孔１６の幅は、吊りボルト１３の頭部１４の直径より小さく、脚部１８の直径より大きく（脚部１８の直径程度と）なっている。
【００２１】
更に、補強パネル６の右側は、ラックパネル２に固定されており、梁４には固定されていない。
【００２２】
このような自動倉庫１では、各ラックパネル２、各梁４、補強パネル６および上部レール８により上部レール８の支持構造が形成され、この支持構造により下記のような支持を行うことができる。
【００２３】
即ち、スタッカクレーンＳは、特に荷Ｗを受けた場合、図２の矢印Ｍのような、左右方向（主に左向き）の力を、転動輪Ｔを介して上部レール８に及ぼす。すると、まず上部レール８の取り付けられた補強パネル６の左側が、この力を受ける。次に、補強パネル６はラチス構造であるため、受けた力を弦材１１やラチス材１２へ矢印Ｎのように分散する。また、補強パネル６の右側（上部レール８の反対側）はラックパネル２に固定されているため、分散された力を多くのラックパネル２に伝えることができる。よって、自動倉庫１においては、矢印Ｍのような局所的な力に対しても、多数のラックパネル２によって抗することができる。
【００２４】
また、補強パネル６の左側は、左右方向の長孔１６に入った吊りボルト１３によって梁４に支持されているため、スタッカクレーンＳの発生する矢印Ｍのような力によって補強パネル６が左右方向に動いたとしても、吊りボルト１３が長孔１６内を動くのみである。従って、自動倉庫１においては、矢印Ｍのような力は梁４には伝わらず補強パネル６に及ぼされるようになっており、力が梁４から直接単独のラックパネル２に伝えられる事態を防止するとともに、補強パネル６における矢印Ｎのような力の分散が十分に図られる。
【００２５】
なお、各吊りボルト１３によって、補強パネル６は梁４から落下せず、上下方向において固定される。また、スタッカクレーンＳは、図１の手前奥方向（図２の上下方向）に向いた上部レール８に沿って移動可能であるため、吊りボルト１３ないしは梁４、補強パネル６への当該方向の力は微小なものとなり、問題にならない。
【００２６】
以上のような自動倉庫１ないしはその上部レール８の支持構造においては、スタッカクレーンＳ用の上部レール８と、上部レール８の方向に並べられる複数のラックパネル２と、各ラックパネル２の上部に固定された梁４と、各梁４の下部において渡された補強パネル６とが設けられており、上部レール８は、補強パネル６におけるラックパネル２とは反対側の辺縁に固定されており、補強パネル６における上部レール８側の辺縁は、梁４の方向へ移動可能に支持されており、補強パネル６におけるラックパネル２側の辺縁は、ラックパネル２に固定されている。よって、スタッカクレーンＳの発生する力を分散して多数のラックパネル２に伝えることができ、各ラックパネル２は比較的に微小な分散力に対して抗すればよいので簡素なものとすることができ、低コスト化ないしはコンパクト化あるいは荷の収容量増加を図ることができる。
【００２７】
また、補強パネル６は、ラチス構造を有しているため、簡素な構成において効率良く力を分散させることができる。更に、補強パネル６における上部レール８側の辺縁は、梁４の方向を向いた長孔１６に入る吊りボルト１３により支持されているため、力を伝えることなく補強パネル６を梁に支持する構造を簡易に提供することができる。加えて、梁４は、ラックパネル２の片側にのみ伸びているため、従来強度不足により実現されなかった小規模の片側ラックタイプの自動倉庫１のような、片持ち（片側支持）の上部レール支持を提供することができ、従来設置不可能であったスペースに自動倉庫等を設置することができる。
【００２８】
なお、主に上記形態を変更してなる本発明の形態を例示する。
【００２９】
上記形態と対称な形状を有する構成部分を更に備えたものとし、両側にラックを有する自動倉庫とする。あるいは、ラックパネルの両側に梁を出して補強パネルや上部レールを取り付ける。これらの場合にも、ラックパネルを比較的に簡素なものとすることができ、低コストかつ省スペースで多くの荷を収納可能な自動倉庫を提供することができる。
【００３０】
また、ラックパネルや補強パネルを、ラチス材をＸ形状に組み合わせたラチス構造や、直交材を含むラチス構造、板状体、またはこれらを組み合わせたものとする。あるいは、長孔と吊りボルトに代えて、軸受により梁と補強パネルとを接合する。また、上部レールを補強パネルの側面に固定する。
【００３１】
そして、本発明は、更にガイドレールを備えたものを始めとする他のタイプの自動倉庫や、他の移動体に係る装置ないしはその上部レール支持構造に適用できる。
【図面の簡単な説明】
【００３２】
【図１】本発明に係る自動倉庫の一部斜視図である。
【図２】本発明に係る自動倉庫の一部平面図である。
【図３】図１における吊りボルト周辺の拡大図である。
【符号の説明】
【００３３】
１    自動倉庫
２    ラックパネル（支持パネル）
４    梁
６    補強パネル
８    上部レール
１３    吊りボルト
１６    長孔
Ｓ    スタッカクレーン（移動体）
【図１】
2005350168.tif 000003
【図２】
2005350168.tif 000004
【図３】
2005350168.tif 000005